(57)【要約】【課題】  基礎コンクリートなどの高さ測定作業において、作業員は、一度腰を屈め再び腰を伸ばし、あるいは腰を下ろし再び立ち上がるといった動作を行うことになり、身体に疲れが生じることになるが、このような測定作業を鑑み、測定作業において、腰を屈めたり腰を下ろしたりすることなく、また複数の手順を経ることなく容易に基礎コンクリートの高さ測定を可能とした測定器具を提案することを目的とする。【解決手段】  測定器具１は、外筒１０と、目盛のついた内竿２０とにより構成される。外筒１０は、筒部１１と張り出し部１２とからなり、外筒１０の筒部１１は、所定の長さ及び径を有する円筒形状に形成されおり、円筒形状の中心部は、筒部１１を上下に貫通するスライド孔１１ａとなっており、スライド孔１１ａには、筒部１１の全長より目盛が付けられた長い内竿２０が貫通して設けられている。【選択図】図１
2016114531.tif 000002
【特許請求の範囲】
【請求項１】
高さ測定器具であって、
Ｔ字形状部を備えた外筒と、
目盛が表示された前記外筒より長い内竿と、
前記内竿を収納する前記外管の上端には凹部状の切欠き部を備えていることを特徴とする高さ測定器具。
【請求項２】
前記外筒に前記内竿を収納し鉛直に立てた状態で、前記目盛が現れる請求項１に記載の高さ測定器具。
【請求項３】
前記内竿の端部に係止部材が備わる請求項１〜２に記載の高さ測定器具。
【請求項４】
請求項１〜請求項３のいずれに記載された高さ測定器具を用いて高さを測定する方法であって、
測定対象の上端に外筒のＴ字形状部の張り出し部を係止して、内竿を降下させ、降下長を読み取るか、
又は、測定対象物の下端部に測定器具を定着させ
外筒を上方に引き上げてＴ字形状部の張り出し部を測定対象物の上端に係止した状態の外筒上端が位置する引き上げ長に相当する内竿の目盛を読み取ることを特徴とする高さの測定方法。
【発明の詳細な説明】
【技術分野】
【０００１】
本発明は、建設工事において、打設された基礎コンクリートの高さ寸法を測定する際に用いられる、測定器具に関するものである。
【背景技術】
【０００２】
基礎コンクリートは、その上に構築される構造物や機器据え付けのための基礎（ベース）となるものである。このような施工された基礎コンクリートの出来高検査においては、スケールを地盤面に垂直に立て、基礎コンクリート天端面に定規を水平に置き、スケールの目盛を読んで基礎コンクリート高さを測定している。あるいはレベル測量機を使用して基礎コンクリートの高さを測定している。
地盤面あるいは地表面から基礎コンクリートの天端面までの高さは、人の身長に比べると低いことが多い。測定の際、作業員は必ず腰を屈めるか、腰を下ろした姿勢で目盛を読む測定作業を強いられている。また、レベル測量機を使用する場合には、２人が組んで作業を行っている。
【先行技術文献】
【特許文献】
【０００３】
【特許文献１】特開平１１−１１８４０５号公報
【発明の概要】
【発明が解決しようとする課題】
【０００４】
上記に記載した測定作業の姿勢において、作業員は、一度腰を屈め再び腰を伸ばし、あるいは腰を下ろし再び立ち上がるといった動作を行うことになり、身体に疲れが生じることになる。また測定作業の手順は、まずスケールを立て、次に定規を水平に置き、その後、定規が示す目盛を読むというように、一つひとつの手順を踏んで次の作業を行わなければならい。そのため手順の煩雑さが生じることになる。
特に基礎コンクリートが数多くあると測定回数も数多くなり、疲労度が増し、多くの作業時間を要することになる。
本発明は、前述した測定作業を鑑み、測定作業において、腰を屈めたり腰を下ろしたりすることなく、また複数の手順を経ることなく容易に基礎コンクリートの高さを測定する、測定器具を提案することを目的とする。
【課題を解決するための手段】
【０００５】
上述した課題を解決し、目的を達成するため、この発明にかかかる高さ測定器具は、Ｔ字形状部を備えた外筒と、目盛が表示された前記外筒より長い内竿と、前記内竿を収納する前記外管の上端には凹部状の切欠き部を備えていることを特徴とする。
【０００６】
かかる高さ測定器具によれば、Ｔ字形状部を備えた外筒と、目盛が表示された前記外筒より長い内竿と、前記内竿を収納する前記外管の上端には凹部状の切欠き部を備えているので、作業員の測定作業において、腰を屈めたり、腰を下ろすことをしないで高さ測定を行うことができる。
【０００７】
また、この発明の高さ測定機器は、外筒に内竿を収納して鉛直に立てた状態で、内竿の目盛が現れることを特徴する。
【０００８】
かかる発明によれば、外筒の上端を指標として目盛を読むことができる。さらには直読する際に凹凸状の切欠き部があるため、現われた目盛を見る際に数値の上下を見ることができるので、すぐに数値を判断ができる。
【０００９】
また、この発明の高さ測定機器は、内竿の端部に係止部材が備わっていることを特徴とする。
【００１０】
この発明によれば、外筒より内竿が抜け出ることを防止でき、運搬作業への支障がなくなる。
【００１１】
また、このような課題を解決する本発明による高さ測定方法は、Ｔ字形状部を備えた外筒と、目盛が表示された外筒より長い内竿と、内竿を収納する外管の上端には凹部状の切欠き部を備えている高さ測定器具を用いて、測定対象の上端に外筒のＴ字形状部の張り出し部を係止して、内竿を降下させ、降下長を読み取るか、又は、測定対象物の下端部に測定器具を定着させ、外筒を上方に引き上げて、Ｔ字形状部の張り出し部を測定対象物の上端に係止した状態の外筒上端が位置する引き上げ長に相当する内竿の目盛を読み取ることを特徴とする。
【００１２】
かかる高さの測定方法によれば、一人の作業員によって、外筒のＴ字形状の張り出し部を基礎コンクリート上面に係止させて内竿を降下させて、内竿の降下長さを、腰を屈めたり座ったりせずに読み取ることができるので、作業員の身体への負担が減る。また、基礎コンクリートの下端部に測定器具を定着させ、外筒を引き上げてＴ字形状の張り出し部を基礎コンクリート上面に係止させて、外筒上端が位置する引き上げ長を、作業員は、腰を屈めたし座ったりせずにすぐ読み取ることができるので作業員の身体への負担が軽減される。
【発明の効果】
【００１３】
本発明の測定器具は、外筒を内竿に沿って摺動させて、張り出し部を基礎コンクリートの上面に容易に当接させ、内竿を降下させるか、引き出すかして、内竿に現われた目盛を直読することで降下長、あるいは引き出し長が読み取ることができる。
切り込み部１３を設けたことによって、本来なら隠れてしまう目盛２１も見ることが出来るので、測定時に数値をすぐ判断することが可能とななり、一人で容易に高さ測定を行えることができる。
外筒の上端に現れる内竿につけられた目盛の位置を作業員の目の高さにさせることができるので、腰を屈めたり腰を下ろしたりすることがなく簡易に測定することができる。
【図面の簡単な説明】
【００１４】
【図１】本発明の実施形態を示す全体図である。測定器を鉛直に立て、外筒を引き上げた状態を側面から見た図である。
【図２】図１の測定器を分解した図で、（ａ）は目盛を備えた内竿である。（ｂ）は、内竿を収納する外筒の断面図と側面図である。（ｃ）は、外筒に単筒を継ぎ足した図である。
【図３】本発明の実施形態を示す全体図で、測定器具を用いた測定の状況図である。
【発明を実施するための形態】
【００１５】
図１に示すように、測定器具１は、外筒１０と、内竿２０とにより大略構成されている。外筒１０は、筒部１１と張り出し部１２とから構成される。外筒１０の筒部１１は、所定の長さ及び径を有する円筒形状に形成されおり、円筒形状の中心部は、筒部１１を上下に貫通するスライド孔１１ａとなっており、スライド孔１１ａには、筒部１１の全長より長い内竿２０が貫通して設けられている。
【００１６】
図１に示すように、張り出し部１２は、筒部１１の円筒形状の中心軸に対して、直角になるよう筒部１１から突出してＴ字形状に形成される。張り出し部１２は、筒部１１の下部付近に設けられている。
【００１７】
図２（ａ）に示すように、内竿２０の表面には、目盛２１が形成されている。好ましくは、目盛２１は、測定器具１を鉛直に立てた際に、筒部１１から飛び出した内竿２０の部分にだけ形成してもよい。目盛２１を形成するには、内竿２０の表面を刻む方法や、目盛テープを張り付ける方法や、印刷する方法がある。
【００１８】
筒部１１から飛び出した部分だけに目盛２１を形成する際には、測定器具１を鉛直に立て、筒部１１の上端１１ｂが目盛２１の始点ゼロ点と一致させるようにし、内竿の２１の上方に向かって目盛２１を形成させる。外筒１０、内竿２０とも構成材料は限定されないが、本実施形態では、塩化ビニル製のパイプ（塩ビパイプ）を用いる。
【００１９】
図２（ｂ）に示すように外筒２０は、塩ビパイプを所定の長さに切断し、その上端側にはエンドキャップ２２を、下端側には異形ソケット２３が取付けられている。それぞれエンドキャップ２２及び異形ソケット２３の外径は、ともにスライド孔１１ａの内径ｄ１より大きいので、移測定箇所まで測定機器１を移動する時に外筒２０が抜け出すことを防止することできる。エンドキャップ２２は、外筒２０を交換する際には、取り外しが可能である。
【００２０】
外筒１０と内竿２０の全長は、測定高さに応じて、外筒１０と内竿２０の組み合わせを事前に考慮して決めることができる。基礎コンクリートＡの高さに応じて、測定時に外筒１０の上端が目線付近となることが好ましい。
たとえば、内竿２０の全長は２．０ｍ、外筒１０の全長は１．０ｍの組み合わせで基礎コンクリートＡの高さが０．４ｍであるなら目線の高さは、地盤から１．４ｍとなる。
また、図２（ｃ）に示す様に、外筒１０の筒部１１の上端側に全長０．１ｍ、０．２ｍ、０．５ｍの筒部１１と同仕様の単筒１１ｃを塩ビ管で準備しておけば、基礎コンクリートＡの高さに応じて、筒部１１に足して単筒１１ｃの上端を目線の高さになるよう変えることができる。
【００２１】
内竿２０は、筒部１１に収納され、筒部１１のスライド孔１１ａに沿って摺動が可能である。
そして、筒部１１のスライド孔１１ａの内径ｄ１と内竿２０の外径ｄ２との寸法差（隙間）は、少ない方が良い。隙間が大きくなると、内竿２０を鉛直に立てて測定する時に、内竿２０の左右への振れが生じることになり、この振れを鉛直に修正して目盛２１を読むまでに時間を要することになる。
今回の実施形態では内竿２０は外径１８ｍｍ、筒部１１は内径２０ｍｍの塩ビパイプを用いる。
【００２２】
図２（ｂ）に示すように筒部１１の上端１１ｂには、平面視で幅約１０ｍｍ、深さ約５ｍｍとなるような切り込み部１３を形成させる。この切り込み部１３に内竿２０の目盛２１が現れるように上下に摺動させる。
【００２３】
外筒１０の下部に形成される張り出し部１２は、筒部１１の塩ビパイプに通称チーズ継手と呼ばれる継手管１２ａを用いる。この継手管（チーズ継手）１２ａのＴ字形状となった３方口の一つ１２ｂを筒部１１に接続する。そうすると筒部１１に接続された継手管１２ａの直線部分までが筒部１１の一部となる。
【００２４】
それに対して、筒部１１とつながった継手管１２ａの直角方向に突出した部分は張り出し部係止部１２ｃとなる。位置決め係止部１２ｃは、塩ビパイプ１２ｄを直線状に接続させ延長させることで、基礎コンクリートＡの上面５０に係止し易くすることが出来る。
【００２５】
張り出し部１２は、外筒１０を内竿２０に沿って上下に摺動させて、基礎コンクリートＡ上面５０に当てられる。
【００２６】
測定機器１を用いた測定方法を図３に示して説明する。
まず作業員が測定機器１を持って測定する基礎コンクリートＡの脇に立つ。その後、測定機器１を持って、外筒１０のＴ字形状の張り出し部１２を基礎コンクリートＡに係止させ、内竿２０を降下させて地面に当てる。その際の外筒１０の端部１１ｂを指標として内竿２０の目盛２１を直読し、高さを測定する。
また、同様に測定機器１を鉛直方向になるよう内竿２０の部分を手で持ち、基礎コンクリートＡのすぐ脇に立てる。
張り出し部１２はどこにも当てない状態で切り込み部１３に現われた数値を筒部１１の上端１１ｂを測定ラインとして読む（測定値１）。  目盛２１がゼロ点であることを確認した後、内竿１０を上方に引き上げ、測定機器１全体を回転させて位置決め部１２を基礎コンクリートＡの上面５０に当てる。その時、同じく切り込み部１３に現われた目盛２１を筒部１１の上端１１ｂを測定ラインとして数値を読む（測定値２）。
測定値１がゼロの場合では、基礎コンクリートＡの高さは測定値２であったとして記録する。測定値１がゼロ点ではない場合は、測定値２から測定値１を引いた（差分）数値を高さとして記録する。
【符号の説明】
【００２７】
１    測定器具
１０  外筒
１１  筒部
１１ａ  スライド孔
１１ｂ  上端
１２     張り出し部（Ｔ字形状部）
１２ａ  継手管
１２ｂ  ３方口の一つ
１２ｃ   張り出し係止部
２０  内竿
２1  目盛
２２  キャップ
２３  異形ソケット
５０  基礎コンクリート上面
Ａ    基礎コンクリート
【図１】
2016114531.tif 000003
【図２】
2016114531.tif 000004
【図３】
2016114531.tif 000005